(57)【特許請求の範囲】
【請求項１】
一面に形成された導電パターン（１１ａ）と反対面に形成されたグランドパターン（１１ｂ）間を導通させるスルーホール（１１ｃ）が形成された第１の絶縁層（１１）を有し、給電パターン（１２）への給電に応じて、前記スルーホール（１１ｃ）のインダクタンス成分と、前記導電パターン（１１ａ）と前記グランドパターン（１１ｂ）間のキャパシタンス成分との並列共振により、前記第１の絶縁層（１１）に形成された前記グランドパターン（１１ｂ）に対して垂直で、かつ、前記導電パターン上の任意の位置で電界が同一方向を向くような偏波を発生する第１のメタマテリアルアンテナ（１０）と、
前記第１の絶縁層（１１）の一面側と反対面側の少なくとも一方に積層配置された第２の絶縁層（２１、４１）と、
一面に形成された導電パターン（３１ａ、５１ａ）と反対面に形成されたグランドパターン（３１ｂ、５１ｂ）間を導通させるスルーホール（３１ｃ、５１ｃ）が形成され、前記第２の絶縁層（２１、４１）を介して前記第１の絶縁層（１１）と積層配置された第３の絶縁層（３１、５１）を有し、前記第１のメタマテリアルアンテナ（１０）と容量結合して、前記第３の絶縁層（３１、５１）の前記スルーホール（３１ｃ、５１ｃ）のインダクタンス成分と前記第３の絶縁層（３１、５１）の前記導電パターン（３１ａ、５１ａ）と前記グランドパターン（３１ｂ、５１ｂ）間のキャパシタンス成分との並列共振により、前記第１のメタマテリアルアンテナ（１０）と同一方向で、かつ、前記第３の絶縁層（３１、５１）の前記導電パターン上の任意の位置で電界が同一方向を向くような偏波を発生する１または複数の第２のメタマテリアルアンテナ（３０、５０）と、を備えたことを特徴とするメタマテリアルアンテナ。
【請求項２】
前記第３の絶縁層（３１、５１）の一面には、前記導電パターン（３１ａ、５１ａ）と接続された給電パターン（３２、５２）が形成されており、
前記第２のメタマテリアルアンテナ（３０、５０）は、前記第１のメタマテリアルアンテナ（１０）との容量結合と、前記第３の絶縁層（３１、５１）の一面に形成された前記給電パターン（３０、５０）への給電に応じて前記偏波を発生することを特徴とする請求項１に記載のメタマテリアルアンテナ。
【請求項３】
前記第１の絶縁層（１１）に形成された前記スルーホール（１１ｃ）の数と、前記第３の絶縁層（３１、５１）に形成された前記スルーホール（３１ｃ、５１）の数は、同一となっていることを特徴とする請求項１または２に記載のメタマテリアルアンテナ。
【請求項４】
前記第１の絶縁層（１１）に形成された前記スルーホール（１１ｃ）の数と、前記第３の絶縁層（３１、５１）に形成された前記スルーホール（３１ｃ、５１）の数は、異なっていることを特徴とする請求項１または２に記載のメタマテリアルアンテナ。
【発明の詳細な説明】
【技術分野】
【０００１】
本発明は、メタマテリアルアンテナに関するものである。
【背景技術】
【０００２】
従来、基板の一面に導電パターンを形成し、基板の反対面にグランドパターンを形成したパッチアンテナ（マイクロストリップラインアンテナ）が広く普及している。このようなパッチアンテナでは、電波が伝搬する方向に進むに従い位相が回転する。
【０００３】
また、基板の一面に導電パターンを形成し、基板の反対面にグランドパターンを形成し、導電パターンとグランドパターン間をスルーホールで導通させるようにして、電波の伝搬方向に進んでも位相が回転しないようにしたメタマテリアルアンテナと呼ばれるパッチアンテナが提案されている（例えば、特許文献１参照）。
【先行技術文献】
【特許文献】
【０００４】
【特許文献１】ＵＳ７９１１３８６  Ｂ１号公報
【発明の概要】
【発明が解決しようとする課題】
【０００５】
上記特許文献１に記載されたメタマテリアルアンテナは、絶縁基板の一面に導電パターンを形成し、絶縁基板の反対面にグランドパターンを形成し、導電パターンとグランドパターン間をスルーホールで導通させるように構成し、スルーホールのインダクタンス成分と導電パターンとグランドパターン間のキャパシタンス成分との並列共振により、絶縁基板に形成されたグランドパターンに対して垂直で、かつ、導電パターン上の任意の位置で電界が同一方向を向くような偏波を発生するようになっている。
【０００６】
このようなメタマテリアルアンテナでは、スルーホールの数を少なくして、導電パターンの占有面積を小さくすると、帯域幅が狭くなる等、アンテナ性能が低下してしまう。したがって、このようなメタマテリアルアンテナでは、４本〜６本程度のスルーホールを一定間隔毎に基板に配置するようにして、アンテナ性能を確保するようにしている。
【０００７】
このように、上記したようなメタマテリアルアンテナは、アンテナ性能の確保と導電パターンの占有面積の縮小化を両立するのが難しく、特に小型の無線通信機への採用が困難であるといった問題があった。
【０００８】
本発明は上記問題に鑑みたもので、アンテナ性能の確保と導電パターンの占有面積の縮小化の両立を図ることを目的とする。
【課題を解決するための手段】
【０００９】
上記目的を達成するため、請求項１に記載の発明は、一面に形成された導電パターン（１１ａ）と反対面に形成されたグランドパターン（１１ｂ）間を導通させるスルーホール（１１ｃ）が形成された第１の絶縁層（１１）を有し、給電パターン（１２）への給電に応じて、スルーホール（１１ｃ）のインダクタンス成分と、導電パターン（１１ａ）とグランドパターン（１１ｂ）間のキャパシタンス成分との並列共振により、第１の絶縁層（１１）に形成されたグランドパターン（１１ｂ）に対して垂直で、かつ、導電パターン上の任意の位置で電界が同一方向を向くような偏波を発生する第１のメタマテリアルアンテナ（１０）と、第１の絶縁層（１１）の一面側と反対面側の少なくとも一方に積層配置された第２の絶縁層（２１、４１）と、一面に形成された導電パターン（３１ａ、５１ａ）と反対面に形成されたグランドパターン（３１ｂ、５１ｂ）間を導通させるスルーホール（３１ｃ、５１ｃ）が形成され、第２の絶縁層（２１、４１）を介して第１の絶縁層（１１）と積層配置された第３の絶縁層（３１、５１）を有し、第１のメタマテリアルアンテナ（１０）と容量結合して、第３の絶縁層（３１、５１）のスルーホール（３１ｃ、５１ｃ）のインダクタンス成分と第３の絶縁層（３１、５１）の導電パターン（３１ａ、５１ａ）とグランドパターン（３１ｂ、５１ｂ）間のキャパシタンス成分との並列共振により、第１のメタマテリアルアンテナ（１０）と同一方向で、かつ、第３の絶縁層（３１、５１）の導電パターン上の任意の位置で電界が同一方向を向くような偏波を発生する１または複数の第２のメタマテリアルアンテナ（３０、５０）と、を備えたことを特徴としている。
【００１０】
このような構成によれば、一面に形成された導電パターン（３１ａ、５１ａ）と反対面に形成されたグランドパターン（３１ｂ、５１ｂ）間を導通させるスルーホール（３１ｃ、５１ｃ）が形成され、第２の絶縁層（２１、４１）を介して第１の絶縁層（１１）と積層配置された第３の絶縁層（３１、５１）を有し、第１のメタマテリアルアンテナ（１０）と容量結合して、第３の絶縁層（３１、５１）のスルーホール（３１ｃ、５１ｃ）のインダクタンス成分と第３の絶縁層（３１、５１）の導電パターン（３１ａ、５１ａ）とグランドパターン（３１ｂ、５１ｂ）間のキャパシタンス成分との並列共振により、第１のメタマテリアルアンテナ（１０）と同一方向で、かつ、第３の絶縁層（３１、５１）の導電パターン上の任意の位置で電界が同一方向を向くような偏波を発生する１または複数の第２のメタマテリアルアンテナ（３０、５０）を備えたので、スルーホールの数を少なくして、導電パターンの占有面積を小さくしても、アンテナ性能の確保することができ、アンテナ性能の確保と導電パターンの占有面積の縮小化の両立を図ることができる。
【００１１】
また、請求項２に記載の発明は、第３の絶縁層（３１、５１）の一面には、導電パターン（３１ａ、５１ａ）と接続された給電パターン（３２、５２）が形成されており、第２のメタマテリアルアンテナ（３０、５０）は、第１のメタマテリアルアンテナ（１０）との容量結合と、第３の絶縁層（３１、５１）の一面に形成された給電パターン（３０、５０）への給電に応じて偏波を発生することを特徴としている。
【００１２】
このように、第３の絶縁層（３１、５１）の一面に、導電パターン（３１ａ、５１ａ）と接続された給電パターン（３２、５２）を形成し、第２のメタマテリアルアンテナ（３０、５０）は、第１のメタマテリアルアンテナ（１０）との容量結合と、第３の絶縁層（３１、５１）の一面に形成された給電パターン（３０、５０）への給電に応じて偏波を発生するように構成することもできる。
【００１３】
なお、第１の絶縁層（１１）に形成されたスルーホール（１１ｃ）の数と、第３の絶縁層（３１、５１）に形成されたスルーホール（３１ｃ、５１）の数は、請求項３に記載の発明のように同一としてもよく、また、請求項４に記載の発明のように異ならせるようにしてもよい。
【００１４】
なお、この欄および特許請求の範囲で記載した各手段の括弧内の符号は、後述する実施形態に記載の具体的手段との対応関係を示すものである。
【図面の簡単な説明】
【００１５】
【図１】本発明の第１実施形態に係るメタマテリアルアンテナの構造を示す図である。
【図２】図１中の矢印Ａ方向からメタマテリアルアンテナを見た様子を示した図である。
【図３】１つの絶縁層に４本のスルーホールを形成した１層、４段構成のメタマテリアルアンテナの構造を示した図である。
【図４】図３に示したメタマテリアルアンテナの等価回路を示した図である。
【図５】本発明の第１実施形態に係るメタマテリアルアンテナの等価回路を示した図である。
【図６】本発明の第１実施形態に係るメタマテリアルアンテナの電界分布を示した図である。
【図７】本発明の第１実施形態に係るメタマテリアルアンテナと図３に示したメタマテリアルアンテナの周波数に対する電圧定在波比の特性を示した図である。
【図８】本発明の第１実施形態に係る２層、２段構成のメタマテリアルアンテナと、図３に示した１層構成のメタマテリアルアンテナの比帯域幅を示した図である。
【図９】本発明の第２実施形態に係るメタマテリアルアンテナの構造を示した図である。
【図１０】図９中の矢印Ａ方向からメタマテリアルアンテナを見た様子を示した図である。
【図１１】第２実施形態に係るメタマテリアルアンテナの周波数に対する電圧定在波比の特性を示した図である。
【図１２】本発明の第３実施形態に係るメタマテリアルアンテナの構造を示した図である。
【図１３】図１２中の矢印Ａ方向からメタマテリアルアンテナを見た様子を示した図である。
【図１４】本発明の第３実施形態に係るメタマテリアルアンテナの周波数に対する電圧定在波比の特性を示した図である。
【図１５】本発明の第４実施形態に係るメタマテリアルアンテナの構造を示した図である。
【図１６】変形例について説明するための図である。
【図１７】変形例について説明するための図である。
【発明を実施するための形態】
【００１６】
（第１実施形態）
本発明の第１実施形態に係るメタマテリアルアンテナの構造を図１に示す。また、図１中の矢印Ａ方向からメタマテリアルアンテナを見た様子を図２に示す。本メタマテリアルアンテナは、ＵＨＦ帯の周波数を使用する車々間通信等のインフラ強調システムに用いられる。なお、本メタマテリアルアンテナは、所謂、左手系メタマテリアル技術を用いて構成されている。また、図１、２では、第１の絶縁層１１と第２の絶縁層２１の間と、第２の絶縁層２１と第３の絶縁層３１の間に隙間を設けて示してあるが、実際には、第１の絶縁層１１、第２の絶縁層２１および第３の絶縁層３１が、隙間を設けることなく積層配置されている。
【００１７】
本メタマテリアルアンテナは、第１の絶縁層１１を有するメタマテリアルアンテナ１０に、第２の絶縁層２１を介して、第３の絶縁層３１を有するメタマテリアルアンテナ３０を積層配置した構成となっている。
【００１８】
第１の絶縁層１１の一面（図２中、上面）には導電パターン１１ａが形成され、第１の絶縁層１１の反対面（図２中、下面）にはグランドパターン１１ｂが形成されている。また、導電パターン１１ａとグランドパターン１１ｂの間には、導電パターン１１ａとグランドパターン１１ｂ間を導通させるスルーホール１１ｃが形成されている。また、導電パターン１１ａには、給電のための給電パターン１２が接続されている。
【００１９】
また、第１の絶縁層１１の一面側には第２の絶縁層２１が積層配置されている。
【００２０】
第３の絶縁層３１の一面（図２中、上面）には導電パターン３１ａが形成され、第３の絶縁層３１の反対面（図２中、下面）にはグランドパターン３１ｂが形成されている。また、導電パターン３１ａとグランドパターン３１ｂ間には、導電パターン３１ａとグランドパターン３１ｂ間を導通させるスルーホール３１ｃが形成されている。また、第３の絶縁層３１は、第２の絶縁層２１を介して第１の絶縁層１１と積層配置されている。
【００２１】
本実施形態において、図２中の１段目、２段目に示すように、メタマテリアルアンテナ１０の第１の絶縁層１１に形成されたスルーホール１１ｃとメタマテリアルアンテナ３０の第３の絶縁層３１に形成されたスルーホール３１ｃを含む領域を１つのブロックとして説明する。
【００２２】
また、本実施形態では、図２に示したように、メタマテリアルアンテナ１０とメタマテリアルアンテナ３０を有するメタマテリアルアンテナを２層構成として説明する。
【００２３】
すなわち、本実施形態に係るメタマテリアルアンテナは、給電パターン１２に近い一方のブロックを１段目、他方のブロックを２段目とした、２層、２段として構成されている。
【００２４】
図３に、１つの絶縁層１１に４本のスルーホール１１ｃを形成した１層、４段構成のメタマテリアルアンテナの構造を示す。図に示すように、このメタマテリアルアンテナは、絶縁層１１の一面に導電パターン１１ａが形成され、絶縁層の反対面にグランドパターン１１ｂが形成され、導電パターン１１ａとグランドパターン１１ｂの間には、導電パターン１１ａとグランドパターン１１ｂ間を接続する４本のスルーホール１１ｃが形成されている。
【００２５】
図４に、図３に示したメタマテリアルアンテナの等価回路を示す。図中のインダクタンス成分Ｌ１１は、各スルーホール１１ｃのインダクタンス成分であり、キャパシタンス成分Ｃ１は、導電パターン１１ａとグランドパターン１１ｂ間のキャパシタンス成分である。また、インダクタンス成分Ｌ１２は、スルーホール１１ｃ間の導電パターンのインダクタンス成分である。
【００２６】
図３に示したメタマテリアルアンテナは、スルーホール１１ｃのインダクタンス成分Ｌ１１と、導電パターン１１ａとグランドパターン１１ｂ間のキャパシタンス成分Ｃ１の並列共振により、グランドパターン１１ｂに対して垂直で、かつ、導電パターン上の任意の位置で電界が同一方向を向くような偏波を発生する。
【００２７】
図５に、図１、２に示した本実施形態に係るメタマテリアルアンテナの等価回路を示す。図中のインダクタンス成分Ｌ１１は、メタマテリアルアンテナ１０の各スルーホール１１ｃのインダクタンス成分であり、キャパシタンス成分Ｃ１は、導電パターン１１ａとグランドパターン１１ｂ間のキャパシタンス成分である。また、インダクタンス成分Ｌ１２は、スルーホール１１ｃ間の導電パターンのインダクタンス成分である。
【００２８】
また、図中のインダクタンス成分Ｌ３１は、メタマテリアルアンテナ３０の各スルーホール３１ｃのインダクタンス成分であり、キャパシタンス成分Ｃ３は、導電パターン３１ａとグランドパターン３１ｂ間のキャパシタンス成分である。また、インダクタンス成分Ｌ３２は、スルーホール３１ｃ間の導電パターン３１ａのインダクタンス成分であり、インダクタンス成分Ｌ３３は、スルーホール３１ｃ間のグランドパターン３１ｂのインダクタンス成分である。
【００２９】
メタマテリアルアンテナ１０は、給電パターン１２への給電に応じて、スルーホール１１ｃのインダクタンス成分と導電パターン１１ａとグランドパターン１１ｂ間のキャパシタンス成分との並列共振により、グランドパターン１１ｂに対して垂直で、かつ、導電パターン１１ａ上の任意の位置で電界が同一方向を向くような偏波を発生する。
【００３０】
また、メタマテリアルアンテナ３０は、メタマテリアルアンテナ１０と容量結合して、第３の絶縁層３１のスルーホール３１ｃのインダクタンス成分Ｌ３１と第３の絶縁層３１の導電パターン３１ａとグランドパターン３１ｂ間のキャパシタンス成分Ｃ３との並列共振により、メタマテリアルアンテナ１０と同一方向で、かつ、第３の絶縁層３１の導電パターン３１ａ上の任意の位置で電界が同一方向を向くような偏波を発生する。
【００３１】
図６に、本実施形態に係るメタマテリアルアンテナの電界分布を示す。なお、図６には、図１中の矢印Ａ方向から本実施形態に係るメタマテリアルアンテナを見た場合の電界分布が示されている。
【００３２】
この図に示されているように、導電パターン１２への給電に応じて、メタマテリアルアンテナ１０により、グランドパターン１１ｂに対して垂直で、かつ、導電パターン１１ａ上の任意の位置で電界が同一方向を向くような偏波が発生し、更に、メタマテリアルアンテナ３０により、メタマテリアルアンテナ１０と同一方向で、かつ、第３の絶縁層３１の導電パターン３１ａ上の任意の位置で電界が同一方向を向くような偏波が発生する。このように、メタマテリアルアンテナ１０により発生した偏波と、メタマテリアルアンテナ３０により発生した偏波とが互いに強め合う構成となっている。
【００３３】
図７に、本実施形態に係るメタマテリアルアンテナと図３に示したメタマテリアルアンテナの周波数に対する電圧定在波比（ＶＳＷＲ）の特性を示す。また、図８に、図１、図２に示した本実施形態に係る２層、２段構成のメタマテリアルアンテナと、１層構成のメタマテリアルアンテナの比帯域幅を示す。なお、比帯域幅は、帯域幅を中心周波数で割った値である。また、図中、１層構成のメタマテリアルアンテナについては、１段〜５段について示してある。
【００３４】
図８に示すように、１層構成のメタマテリアルアンテナについて、段数が多くなるほど比帯域幅が大きくなっている。
【００３５】
車々間通信等のインフラ強調システムでは、７００ＭＨｚ帯の周波数が使用される。このようなインフラ強調システムでは、図７に示すように、ＶＳＷＲ≦３で、比帯域幅≧１．５パーセント（％）が要求される。なお、比帯域幅≧１．５％というのは、占有帯域幅が約１０メガヘルツ以上に相当する。
【００３６】
図８に示すように、１層構造のメタマテリアルアンテナでは、ＶＳＷＲ≦３で、比帯域幅≧１．５パーセント（％）を実現するためには、３段以上の構成とする必要がある。
【００３７】
しかし、図１、図２に示した本実施形態に係るメタマテリアルアンテナは、２層、２段で構成されており、比較的小さな占有面積にも関わらず、ＶＳＷＲ≦３で、比帯域幅＝２．５（％）を実現している。
【００３８】
上記した構成によれば、一面に形成された導電パターン３１ａと反対面に形成されたグランドパターン３１ｂ間を導通させるスルーホール３１ｃが形成され、第２の絶縁層２１を介して第１の絶縁層１１と積層配置された第３の絶縁層３１を有し、メタマテリアルアンテナ１０と容量結合して、第３の絶縁層３１のスルーホール３１ｃのインダクタンス成分と第３の絶縁層３１の導電パターン３１ａとグランドパターン３１ｂ間のキャパシタンス成分との並列共振により、メタマテリアルアンテナ１０と同一方向で、かつ、第３の絶縁層３１の導電パターン上の任意の位置で電界が同一方向を向くような偏波を発生するメタマテリアルアンテナ３０を備えたので、スルーホールの数を少なくして、導電パターンの占有面積を小さくしても、アンテナ性能の確保することができ、アンテナ性能の確保と導電パターンの占有面積の縮小化の両立を図ることができる。
【００３９】
（第２実施形態）
本実施形態に係るメタマテリアルアンテナの構造を図９に示す。また、図９中の矢印Ａ方向からメタマテリアルアンテナを見た様子を図１０に示す。なお、上記実施形態と同一部分には、同一符号を付して説明を省略し、以下、異なる点を中心に説明する。
【００４０】
上記第１実施形態では、メタマテリアルアンテナ３０の第３の絶縁層３１に、メタマテリアルアンテナ１０の第１の絶縁層１１と同じ２つのスルーホール３１ｃが形成されているが、本実施形態では、メタマテリアルアンテナ３０の第３の絶縁層３１に、１つのスルーホール３１ｃが形成されている。
【００４１】
このように、メタマテリアルアンテナ３０の第３の絶縁層３１に、１つのスルーホール３１ｃを形成した構成でも、メタマテリアルアンテナ３０から、メタマテリアルアンテナ１０と同一方向で、かつ、第３の絶縁層３１の導電パターン上の任意の位置で電界が同一方向を向くような偏波を発生させることが可能である。
【００４２】
図１１に、本実施形態に係るメタマテリアルアンテナの周波数に対する電圧定在波比（ＶＳＷＲ）の特性を示す。図に示すように、７６０ＭＨｚ帯において、ＶＳＷＲ≦３で、比帯域幅≧１．７パーセント（％）を実現している。
【００４３】
本実施形態に係るメタマテリアルアンテナでは、メタマテリアルアンテナ１０による７６０メガヘルツ（ＭＨｚ）帯と、メタマテリアルアンテナ３０による８２０ＭＨｚ帯に、それぞれＶＳＷＲが小さくなるポイントがある。メタマテリアルアンテナ１０とメタマテリアルアンテナ３０の二重共振により、メタマテリアルアンテナ１０による７６０メガヘルツ（ＭＨｚ）帯の比帯域が広がっているものと考えられる。
【００４４】
（第３実施形態）
本実施形態に係るメタマテリアルアンテナの構造を図１２に示す。また、図１２中の矢印Ａ方向からメタマテリアルアンテナを見た様子を図１３に示す。上記第２実施形態では、メタマテリアルアンテナ１０の上方に、第２の絶縁層２１を介してメタマテリアルアンテナ３０を配置したが、本実施形態に係るメタマテリアルアンテナは、更に、メタマテリアルアンテナ１０の下方に、第４の絶縁層を介してメタマテリアルアンテナ５０を配置した構成となっている。なお、メタマテリアルアンテナ５０は、一面に形成された導電パターン５１ａと反対面に形成されたグランドパターン５１ｂが形成された第５の絶縁層５１を有している。この第５の絶縁層５１には、２つのスルーホール５１ｃが形成されている。
【００４５】
図１４に、本実施形態に係るメタマテリアルアンテナの周波数に対する電圧定在波比（ＶＳＷＲ）の特性を示す。図に示すように、８００ＭＨｚ帯において、ＶＳＷＲ≦３で、比帯域幅≧２．１パーセント（％）を実現している。
【００４６】
（第４実施形態）
本実施形態に係るメタマテリアルアンテナの構造を図１５に示す。また、図１５中の矢印Ａ方向からメタマテリアルアンテナを見た様子を図１６に示す。上記第２実施形態では、マテリアルアンテナ１０の第１の絶縁層１１に２つのスルーホール１１ｃが形成されているが、本実施形態におけるメタマテリアルアンテナは、マテリアルアンテナ１０の第１の絶縁層１１に４つのスルーホール１１ｃが形成されている。
【００４７】
上記第１〜第３実施形態のように、直線上にスルーホールを配置するのではなく、本実施形態のように、平面上にスルーホールを配置するように構成することで、より小型化することが可能である。
【００４８】
（その他の実施形態）
本発明は上記実施形態に限定されるものではなく、本発明の趣旨に基づいて種々なる形態で実施することができる。
【００４９】
例えば、上記第１〜第４実施形態では、本発明のメタマテリアルアンテナを、ＵＨＦ帯の周波数を使用する車々間通信等のインフラ強調システムに用いるものとして説明したが、このような用途に限定されるものではない。また、使用周波数や周波数帯域幅等についても、上記実施形態に記載された内容に限定されるものではない。
【００５０】
また、スルーホールの数や配置、メタマテリアルアンテナ３０、５０の組合せ等についても、上記実施形態に記載された内容に限定されるものではない。
【００５１】
また、上記第１〜第４実施形態では、メタマテリアルアンテナ１０の第１の絶縁層１１に、導電パターン１０ａに接続された給電パターン１２を形成した構成を示したが、例えば、図１６に示すように、第１の絶縁層１１だけでなく、第３の絶縁層３１にも導電パターン３１に接続された給電パターン３２を形成しておき、第１の絶縁層１１に形成された給電パターン１２と第３の絶縁層３１に形成された給電パターン３２の両方で給電するように構成してもよい。この場合、メタマテリアルアンテナ３０は、メタマテリアルアンテナ１０との容量結合と、第３の絶縁層３１の一面に形成された給電パターン３２への給電に応じて偏波を発生する。
【００５２】
また、図１７に示すように、メタマテリアルアンテナ３０の第３の絶縁層３１に、導電パターン３１ａに接続される給電パターン３２を形成するとともに、メタマテリアルアンテナ５０の第５の絶縁層５１に、導電パターン５１ａに接続される給電パターン５２を形成し、給電パターン１２、給電パターン３２および給電パターン５２から給電するように構成してもよい。この場合、メタマテリアルアンテナ５０は、メタマテリアルアンテナ１０との容量結合と、第５の絶縁層５１の一面に形成された給電パターン５２への給電に応じて偏波を発生する。
【符号の説明】
【００５３】
１０    メタマテリアルアンテナ
１１    第１の絶縁層
１１ａ  導電パターン
１１ｂ  グランドパターン
１１ｃ  スルーホール
１２    給電パターン
２１    第２の絶縁層
３０    メタマテリアルアンテナ
３１    第３の絶縁層
３１ａ  導電パターン
３１ｂ  グランドパターン
３１ｃ  スルーホール
【図１】
0005696677.tif 000002
【図２】
0005696677.tif 000003
【図３】
0005696677.tif 000004
【図４】
0005696677.tif 000005
【図５】
0005696677.tif 000006
【図６】
0005696677.tif 000007
【図７】
0005696677.tif 000008
【図８】
0005696677.tif 000009
【図９】
0005696677.tif 000010
【図１０】
0005696677.tif 000011
【図１１】
0005696677.tif 000012
【図１２】
0005696677.tif 000013
【図１３】
0005696677.tif 000014
【図１４】
0005696677.tif 000015
【図１５】
0005696677.tif 000016
【図１６】
0005696677.tif 000017
【図１７】
0005696677.tif 000018